(57)【要約】【課題】筐体の一側板に３つ以上の同軸コネクタを配設しても大型化せず、該同軸コネクタの芯線を不所望に長くしたりアイソレーションを悪化させる虞もないテレビチューナを提供すること。【解決手段】筐体１の一側板１ａに４つの同軸コネクタ２〜５を上下に２つずつ分散して配設すると共に、筐体１の内部空間を上下に仕切るように回路基板６を筐体１内に設置する。回路基板６には地上波デジタルチューナ部と衛星波デジタルチューナ部とが設けられており、側板１ａの上段側に並設されている同軸コネクタ２，３の芯線２１，３１を地上波デジタルチューナ部に接続し、下段側に並設されている同軸コネクタ４，５の芯線４１，５１を衛星波デジタルチューナ部に接続する。また、芯線２１，３１は、その延出部２１ａ，３１ａを回路基板６の切欠き６１，６２内に挿通させた状態で先端部（半田接合部）が回路基板６の下面６ｂに半田付けできるようにしてある。【選択図】図３
2009273031.tif 000002
【特許請求の範囲】
【請求項１】
筐体と、この筐体の一側板に上下に分散して配設された３つ以上の同軸コネクタと、第１のチューナ部および第２のチューナ部を有し前記筐体の内部空間を上下に仕切るように設置された回路基板とを備え、
上段側に配設された前記同軸コネクタの芯線が前記筐体内で下向きに延出して前記第１のチューナ部に接続されていると共に、下段側に配設された前記同軸コネクタの芯線が前記筐体内で上向きに延出して前記第２のチューナ部に接続されていることを特徴とするテレビチューナ。
【請求項２】
請求項１の記載において、前記筐体の前記側板に４つの同軸コネクタを上下に２つずつ分散して配設し、このうち上段側の２つの同軸コネクタとして第１の入力コネクタと第１の出力コネクタを所定間隔存して並設すると共に、下段側の２つの同軸コネクタとして第２の入力コネクタと第２の出力コネクタを所定間隔存して並設し、前記筐体内で前記回路基板の一側縁部が、前記側板のうち上段側の同軸コネクタと下段側の同軸コネクタとの間に延在する領域と隣接するようにしたことを特徴とするテレビチューナ。
【請求項３】
請求項１または２の記載において、前記筐体の前記側板に隣接する前記回路基板の一側縁部に切欠きを設けると共に、所定の同軸コネクタの芯線の先端部に前記延出部分から略直角に突出する半田接合部を折曲形成し、この芯線の前記延出部分を前記切欠き内に挿通させた状態で前記半田接合部を前記回路基板に半田付けしたことを特徴とするテレビチューナ。
【請求項４】
請求項３の記載において、前記筐体の前記側板に配設されたすべての同軸コネクタの芯線の先端部に前記半田接合部が折曲形成されており、このうち上段側と下段側のいずれか一方に配設された同軸コネクタの芯線の前記延出部分を前記回路基板の前記切欠き内に配置させることによって、前記側板に配設されたすべての同軸コネクタの前記半田接合部が前記回路基板の同一面に半田付けされるようにしたことを特徴とするテレビチューナ。
【請求項５】
請求項１〜４のいずれか１項の記載において、前記筐体の前記側板の上段側に配設された同軸コネクタと下段側に配設された同軸コネクタは、一方が地上波デジタル放送用で他方が衛星波デジタル放送用であることを特徴とするテレビチューナ。
【発明の詳細な説明】
【技術分野】
【０００１】
本発明は、筐体の一側板に３つ以上の同軸コネクタが配設されているテレビチューナに係り、特に、筐体内に設置される回路基板のレイアウトや形状に関するものである。
【背景技術】
【０００２】
地上波デジタルチューナ部と衛星波デジタルチューナ部とを備えたテレビチューナを構成する際に、両チューナ部を１枚の回路基板に設けておけば、回路基板のみならず筐体も共通化できるため、部品点数を削減できてコスト面で有利となる。この場合、外部ケーブルと接続される同軸コネクタ（入力コネクタや出力コネクタ）はテレビチューナの筐体の一側板に配設され、各同軸コネクタの芯線が筐体内で回路基板の対応するチューナ部に接続される。つまり、地上波デジタル放送用の同軸コネクタは回路基板の地上波デジタルチューナ部に接続され、衛星波デジタル放送用の同軸コネクタは回路基板の衛星波デジタルチューナ部に接続される。なお、出力コネクタは例えばテレビ視聴時に別の番組の録画が行えるようにするためのスルー出力用であり、入力コネクタから入力されたデジタル放送信号がチューナ部で分配されて該出力コネクタに供給される。
【０００３】
ところで、このように回路基板や筐体が共通で地上波デジタル放送用の入出力コネクタと衛星波デジタル放送用の入出力コネクタとを備えたテレビチューナにおいては、図７に示すように、計４つの同軸コネクタ８０を筐体７０の一側板７０ａに一列に並べて配設し、筐体７０内に設置された回路基板７１に各同軸コネクタ８０の芯線８１を半田付けするという構成が考えられる（例えば、特許文献１参照）。
【特許文献１】特開２００８−２８６０３号公報
【発明の開示】
【発明が解決しようとする課題】
【０００４】
しかしながら、図７に示すように、４つの同軸コネクタ８０を筐体７０の一側板７０ａに一列に並べて配設した場合、筐体７０が不所望に大型化してしまうためテレビチューナのスペースファクタが悪くなるという問題があった。
【０００５】
そこで本発明者らは大型化を抑制するため、図８に示すように、筐体７０の一側板７０ａに３つ以上の同軸コネクタ８０を上下に分散して配設するという構成について検討した。しかるに、かかる構成を採用した場合、上段側に配設される同軸コネクタ８０の芯線８１を不所望に長くしないと回路基板７１に接続できないため、この芯線８１の先端部が回路基板７１に対し位置ずれを起こしやすくなって組立作業性が低下したり、インピーダンスの整合が困難になったり、上段側と下段側の同軸コネクタ８０の芯線８１どうしが近距離で並んで垂下してしまうためアイソレーションが悪化する等の不具合の生じることが判明した。
【０００６】
本発明は、このような従来技術の実情に鑑みてなされたもので、その目的は、筐体の一側板に３つ以上の同軸コネクタを配設しても大型化せず、該同軸コネクタの芯線を不所望に長くしたりアイソレーションを悪化させる虞もないテレビチューナを提供することにある。
【課題を解決するための手段】
【０００７】
上記の目的を達成するため、本発明のテレビチューナは、筐体と、この筐体の一側板に上下に分散して配設された３つ以上の同軸コネクタと、第１のチューナ部および第２のチューナ部を有し前記筐体の内部空間を上下に仕切るように設置された回路基板とを備え、上段側に配設された前記同軸コネクタの芯線が前記筐体内で下向きに延出して前記第１のチューナ部に接続されていると共に、下段側に配設された前記同軸コネクタの芯線が前記筐体内で上向きに延出して前記第２のチューナ部に接続されているという構成にした。例えば、筐体の一側板に４つの同軸コネクタを上下に２つずつ分散して配設し、このうち上段側の２つの同軸コネクタとして第１の入力コネクタと第１の出力コネクタを所定間隔存して並設すると共に、下段側の２つの同軸コネクタとして第２の入力コネクタと第２の出力コネクタを所定間隔存して並設し、筐体内で回路基板の一側縁部が、前記側板のうち上段側の同軸コネクタと下段側の同軸コネクタとの間に延在する領域と隣接するようにしておけばよい。
【０００８】
このように構成されたテレビチューナでは、３つ以上（例えば４つ）の同軸コネクタを筐体の一側板に上下に分散して配設するため、筐体を大型化する必要がなくなる。また、回路基板が筐体の内部空間を上下に仕切るように設置されているため、同軸コネクタが筐体の一側板の上段側に配設されていようと下段側に配設されていようと、該同軸コネクタの芯線を不所望に長くすることなく回路基板に接続させることができる。したがって、筐体内へ回路基板を組み付ける際に、同軸コネクタの芯線の先端部が回路基板に対し位置ずれを起こしにくくなって組立作業性が向上し、インピーダンスも整合させやすくなる。また、上段側の同軸コネクタの芯線と下段側の同軸コネクタの芯線を、回路基板によって仕切られた筐体内の上部空間と下部空間に振り分けて配置させることができるため、上段側と下段側の同軸コネクタの芯線どうしが近距離で並ばないように設定してアイソレーションを確保することが容易となる。
【０００９】
上記の構成において、筐体の前記側板に隣接する回路基板の一側縁部に切欠きを設けると共に、所定の同軸コネクタの芯線の先端部に前記延出部分から略直角に突出する半田接合部を折曲形成し、この芯線の前記延出部分を前記切欠き内に挿通させた状態で前記半田接合部を回路基板に半田付けしておけば、回路基板を前記側板に沿って筐体内へ組み付ける際に、回路基板の切欠きが逃げ部となって同軸コネクタの芯線との干渉を回避できるため、回路基板を筐体内の所定位置に容易に組み付けることができる。この場合において、筐体の前記側板に配設されたすべての同軸コネクタの芯線の先端部に前記半田接合部が折曲形成されており、このうち上段側と下段側のいずれか一方に配設された同軸コネクタの芯線の前記延出部分を回路基板の前記切欠き内に配置させることによって、前記側板に配設されたすべての同軸コネクタの前記半田接合部が回路基板の同一面に半田付けされるようにしてあると、回路基板に対する同軸コネクタの芯線の半田付け工程を簡素化できる。
【００１０】
なお、上記の構成において、筐体の前記側板の上段側に配設された同軸コネクタと下段側に配設された同軸コネクタは、例えば一方が地上波デジタル放送用で他方が衛星波デジタル放送用であればよく、こうすることによって地上波デジタル放送用の入力コネクタおよび出力コネクタと衛星波デジタル放送用の入力コネクタおよび出力コネクタとを備えたコンパクトで高性能なテレビチューナが安価に実現できる。
【発明の効果】
【００１１】
本発明のテレビチューナは、３つ以上（例えば４つ）の同軸コネクタを筐体の一側板に上下に分散して配設するため筐体を大型化する必要がなく、かつ回路基板が筐体の内部空間を上下に仕切るように設置されているため同軸コネクタの芯線を不所望に長くすることなく回路基板に接続させることができる。それゆえ、筐体内へ回路基板を組み付ける際に、同軸コネクタの芯線の先端部が回路基板に対し位置ずれを起こしにくくなって組立作業性が向上し、インピーダンスも整合させやすくなる。また、上段側の同軸コネクタの芯線と下段側の同軸コネクタの芯線を、回路基板によって仕切られた筐体内の上部空間と下部空間に振り分けて配置させることができるため、上段側と下段側の同軸コネクタの芯線どうしが近距離で並ばないように設定してアイソレーションを確保することが容易となる。
【発明を実施するための最良の形態】
【００１２】
発明の実施の形態を図面を参照して説明すると、図１は本発明の第１実施形態例に係るテレビチューナの外観図、図２は該テレビチューナの筐体の一側板を示す説明図、図３は該テレビチューナの同軸コネクタと回路基板の接続構造を示す説明図、図４は該回路基板の外形を示す平面図である。
【００１３】
これらの図に示すテレビチューナは、金属板からなる筐体１の一つの側板１ａに４つの同軸コネクタ２〜５を上下に２つずつ分散して配設していると共に、図示せぬ地上波デジタルチューナ部と衛星波デジタルチューナ部とを有する回路基板６を筐体１内に設置している。筐体１は、上部開口および下部開口を有する平面視矩形状の枠状側板１０と、この枠状側板１０の上部開口を蓋閉する上カバー１１と、枠状側板１０の下部開口を蓋閉する下カバー１２とを組み合わせて略直方体の箱状に形成されている。枠状側板１０の一側壁に相当する側板１ａの上段側には地上波デジタル放送用の同軸コネクタ２，３が並設されており、このうち一方の同軸コネクタ２は入力コネクタで他方の同軸コネクタ３は出力コネクタである。また、この側板１ａの下段側には衛星波デジタル放送用の同軸コネクタ４，５が並設されており、このうち一方の同軸コネクタ４は入力コネクタで他方の同軸コネクタ５は出力コネクタである。回路基板６は筐体１の内部空間を上下に仕切るように筐体１内に設置されており、この回路基板６の一側縁部６ａが、筐体１の側板１ａのうち上段側の同軸コネクタ２，３と下段側の同軸コネクタ４，５との間に延在する領域と隣接している。また、図４に示すように、回路基板６の一側縁部６ａには２箇所に切欠き６１，６２が形成されており、各切欠き６１，６２を内方へずらした位置にはスルーホール６３，６４が形成されている。
【００１４】
図３に示すように、筐体１の側板１ａの上段側に配設されている同軸コネクタ２，３の芯線２１，３１は、筐体１内で基端部から下向きに延出する延出部２１ａ，３１ａを有しており、これら延出部２１ａ，３１ａがそれぞれ回路基板６の切欠き６１，６２内に挿通状態で配置されている。また、芯線２１，３１の先端部には、延出部２１ａ，３１ａから回路基板６に沿って略直角に突出する半田接合部２１ｂ，３１ｂが折曲形成されており、これら半田接合部２１ｂ，３１ｂを回路基板６の下面６ｂで図示せぬランド部に半田付けすることによって、同軸コネクタ２，３の芯線２１，３１が回路基板６の地上波デジタルチューナ部に接続されている。
【００１５】
一方、筐体１の側板１ａの下段側に配設されている同軸コネクタ４，５の芯線４１，５１は、筐体１内で基端部から上向きに延出する延出部４１ａ，５１ａを有しており、これら延出部４１ａ，５１ａがそれぞれ回路基板６のスルーホール６３，６４に挿通されている。そして、延出部４１ａ，５１ａの先端部を回路基板６の上面６ｃで図示せぬランド部に半田付けすることによって、同軸コネクタ４，５の芯線４１，５１が回路基板６の衛星波デジタルチューナ部に接続されている。
【００１６】
なお、図２に示すように、筐体１の側板１ａに上下に分散して配設された４つの同軸コネクタ２〜５は、互いの芯線２１〜５１が接近しすぎないように所定間隔を存して並設されている。また、側板１ａの上段側に配設されている同軸コネクタ２，３の芯線２１，３１は、その大部分が回路基板６によって仕切られた筐体１内の上部空間に配置されており、かつ側板１ａの下段側に配設されている同軸コネクタ４，５の芯線４１，５１は、その大部分が筐体１内の下部空間に配置されているため、芯線２１，３１と芯線４１，５１どうしが近距離で並ばない設定になっている。それゆえ、筐体１内において、４つの同軸コネクタ２〜５のアイソレーションは良好に保たれている。
【００１７】
以上説明したように本実施形態例に係るテレビチューナは、４つの同軸コネクタ２〜５を筐体１の一つの側板１ａに上下に２つずつ分散して配設しているため、筐体１を大型化する必要がない。また、回路基板６が筐体１の内部空間を上下に仕切るように設置されているため、すべての同軸コネクタ２〜５について、その芯線２１〜５１を不所望に長くすることなく回路基板６の対応するチューナ部に接続させることができる。したがって、筐体１内へ回路基板６を組み付ける際に、同軸コネクタ２〜５の芯線２１〜５１の先端部が回路基板６に対し位置ずれを起こしにくくなって組立作業性が向上し、インピーダンスも整合させやすい。しかも、本実施形態例において、筐体１の側板１ａの上段側に配設されている同軸コネクタ２，３の芯線２１，３１は、その延出部２１ａ，３１ａを切欠き６１，６２内に挿通させた状態で先端部（半田接合部２１ｂ，３１ｂ）が回路基板６の下面６ｂに半田付けできるようにしてあるため、回路基板６を上方から側板１ａに沿って筐体１内へ組み付けるときに、切欠き６１，６２が芯線２１，３１用の逃げ部として機能する。それゆえ、回路基板６を筐体１内の所定位置に容易に組み付けることができる。
【００１８】
また、本実施形態例に係るテレビチューナは、筐体１の側板１ａに４つの同軸コネクタ２〜５が互いに所要の間隔を存して並設されていると共に、この側板１ａの上段側に配設されている同軸コネクタ２，３の芯線２１，３１と下段側に配設されている同軸コネクタ４，５の芯線４１，５１を、回路基板６によって仕切られた筐体１内の上部空間と下部空間に振り分けて配置させているため、４つの同軸コネクタ２〜５のアイソレーションが良好に保たれている。したがって、本実施形態例によれば、地上波デジタル放送用の同軸コネクタ２，３（入力コネクタ２および出力コネクタ３）と衛星波デジタル放送用の同軸コネクタ４，５（入力コネクタ４および出力コネクタ５）とを備えたコンパクトで高性能なテレビチューナを安価に実現することができる。
【００１９】
図５は本発明の第２実施形態例に係るテレビチューナの同軸コネクタと回路基板の接続構造を示す説明図、図６は該回路基板の外形を示す平面図であって、図３と図４に対応する部分には同一符号を付してあるため、重複する説明は省略する。
【００２０】
この第２実施形態例に係るテレビチューナは、筐体１の側板１ａの下段側に配設されている同軸コネクタ４，５の芯線４１，５１を回路基板６の下面６ｂに半田付けした点が、前述した第１実施形態例と大きく異なっている。すなわち、この第２実施形態例では、側板１ａの下段側に配設された同軸コネクタ４，５の芯線４１，５１の先端部に、その延出部４１ａ，５１ａから回路基板６に沿って略直角に突出する半田接合部４１ｂ，５１ｂが折曲形成されており、これら半田接合部４１ｂ，５１ｂが回路基板６の下面６ｂに半田付けされているため、回路基板６には前記スルーホール６３，６４が設けられていない。ただし、側板１ａの上段側に配設された同軸コネクタ２，３の芯線２１，３１については前記第１実施形態例と同様に、その延出部２１ａ，３１ａを切欠き６１，６２内に挿通させた状態で半田接合部２１ｂ，３１ｂが回路基板６の下面６ｂに半田付けされている。こうすることによって、筐体１の側板１ａに配設されたすべての同軸コネクタ２〜５の半田接合部２１ｂ〜５１ｂが回路基板６の同一面（下面６ｂ）に半田付けされることになるため、回路基板６に対する同軸コネクタ２〜５の芯線２１〜５１の半田付け工程を簡素化できる。
【００２１】
なお、上記した第１および第２実施形態例では、筐体１の側板１ａに４つの同軸コネクタ２〜５を分散して配設した場合について説明したが、３つまたは５つ以上の同軸コネクタを筐体の一側板に分散して配設する場合にも、本発明を適用することによってほぼ同様の効果が期待できる。
【図面の簡単な説明】
【００２２】
【図１】本発明の第１実施形態例に係るテレビチューナの外観図である。
【図２】第１実施形態例に係るテレビチューナの筐体の一側板を示す説明図である。
【図３】第１実施形態例に係るテレビチューナの同軸コネクタと回路基板の接続構造を示す説明図である。
【図４】図３中の回路基板の外形を示す平面図である。
【図５】本発明の第２実施形態例に係るテレビチューナの同軸コネクタと回路基板の接続構造を示す説明図である。
【図６】図５中の回路基板の外形を示す平面図である。
【図７】従来例に係るテレビチューナの筐体の一側板を示す説明図である。
【図８】他の従来例に係るテレビチューナの同軸コネクタと回路基板の接続構造を示す説明図である。
【符号の説明】
【００２３】
１  筐体
１ａ  （筐体の）一側板
２  同軸コネクタ（第１の入力コネクタ）
３  同軸コネクタ（第１の出力コネクタ）
４  同軸コネクタ（第２の入力コネクタ）
５  同軸コネクタ（第２の出力コネクタ）
２１，３１，４１，５１  芯線
２１ａ，３１ａ，４１ａ，５１ａ  延出部
２１ｂ，３１ｂ，４１ｂ，５１ｂ  半田接合部
６  回路基板
６ａ  （回路基板の）一側縁部
６１，６２  切欠き
【図１】
2009273031.tif 000003
【図２】
2009273031.tif 000004
【図３】
2009273031.tif 000005
【図４】
2009273031.tif 000006
【図５】
2009273031.tif 000007
【図６】
2009273031.tif 000008
【図７】
2009273031.tif 000009
【図８】
2009273031.tif 000010